(57)【要約】【課題】各種の情報を集中管理することが可能な画像出力装置などを提供すること。【解決手段】印刷システム１は、ＭＦＰ５１および５２、サーバ７１、第１携帯電話８、第２携帯電話９、を備える。サーバ７１は、判断情報を、複数の携帯電話それぞれに対応付けて記憶している。第１携帯電話８および第２携帯電話９は、ＮＦＣ通信をＭＦＰ５１および５２との間で行い、無線ＬＡＮ通信をサーバ７１との間で行う。ＭＦＰは、ＣＰＵとＮＦＣ送受信部を備える。ＭＦＰは、画像データを処理する。ＭＦＰは、携帯電話から判断情報を受信した場合に、判断情報を記憶部に記憶させる。ＭＦＰは、記憶部が記憶している判断情報に基づいて、ＣＰＵが画像データ処理の実行が可能であると判断したときに、画像データ処理を実行する。【選択図】図１
2013214807.tif 000002
【特許請求の範囲】
【請求項１】
画像データ処理装置と、
画像データ処理の実行の可否をコンピュータに判断させるための判断情報を、複数の電子装置それぞれに対応付けて記憶している管理装置と、
第１の通信方式による通信を前記画像データ処理装置との間で行い、前記第１の通信方式とは異なる第２の通信方式による通信を前記管理装置との間で行い、前記管理装置から電子装置自身に対応する判断情報を受信する複数の前記電子装置と、
を備えるシステムで使用される画像データ処理装置であって、
コンピュータと、
前記第１の通信方式で前記電子装置と通信する通信手段と、
を備え、
前記コンピュータは、
画像データを処理する画像データ処理手段と、
前記通信手段が前記電子装置から前記判断情報を受信した場合に、当該判断情報を記憶手段に記憶させる判断情報記憶制御手段と、して機能し、
前記画像データ処理手段は、前記記憶手段が記憶している判断情報に基づいて、前記コンピュータが前記画像データ処理の実行が可能であると判断したときに、画像データ処理を実行することを特徴とする画像データ処理装置。
【請求項２】
前記コンピュータは、
前記画像データ処理手段が前記画像データ処理を実行した場合に、前記データ処理の結果に基づいて、前記判断情報を更新させるための更新情報、または、前記データ処理の結果に基づいて更新された更新済判断情報を前記記憶手段に記憶させる更新情報記憶制御手段と、
前記更新情報、または、前記更新済判断情報が記憶手段に記憶された場合に、前記更新情報、または、前記更新済判断情報を前記電子装置に送信するよう、前記通信手段を制御する更新情報送信制御手段と、
して機能することを特徴とする請求項１に記載の画像データ処理装置。
【請求項３】
前記第２の通信方式での通信を行う第２通信方式通信手段を備え、
前記コンピュータは、前記第２通信方式通信手段による通信を制限する制限情報を入力受付手段が受け付けたときに、当該制限情報を記憶手段に記憶させる制限情報記憶制御手段、として機能し、
前記判断情報記憶制御手段は、前記記憶手段が前記制限情報を記憶している場合に、前記通信手段が前記電子装置から受信した判断情報を前記記憶手段に記憶させ、前記記憶手段が前記制限情報を記憶していない場合に、前記判断情報を前記記憶手段に記憶させる制御をしない、ことを特徴とする請求項１または２に記載の画像データ処理装置。
【請求項４】
前記通信手段は、前記第２の通信方式の有効通信可能距離よりも短い有効通信可能距離が定められた第１の通信方式で、前記電子装置と通信する、ことを特徴とする請求項２または３に記載の画像出力装置。
【請求項５】
前記通信手段は、有効通信可能距離が１メートル以内である第１の通信方式で、前記電子装置と通信することを特徴とする請求項４に記載の画像出力装置。
【請求項６】
前記通信手段は、ＮＦＣインターフェースプロトコルの通信方式で、前記電子装置と通信することを特徴とする請求項５に記載の画像出力装置。
【請求項７】
前記更新情報送信制御手段は、前記通信手段が前記電子装置と通信できない状態から、通信できる状態になり、かつ、前記記憶手段が前記更新情報を記憶している場合に、前記更新情報を前記電子装置に送信するよう、前記通信手段を制御することを特徴とする請求項５または６に記載の画像出力装置。
【請求項８】
前記コンピュータは、前記判断情報記憶制御手段が前記判断情報を記憶手段に記憶させるときに、前記通信手段が前記電子装置と通信できる状態にする必要性を示す報知を行うための制御を行う報知制御手段として機能することを特徴とする請求項７に記載の画像出力装置。
【請求項９】
前記更新情報記憶制御手段は、前記更新情報を前記判断情報の送信元である電子装置を前記コンピュータに識別させるための識別情報と対応付けて前記記憶手段に記憶させ、
前記更新情報送信制御手段は、前記通信手段が前記判断情報の送信元である電子装置とは異なる電子装置と通信するとき、前記記憶手段が記憶している更新情報を、前記異なる電子装置に送信するよう、前記通信手段を制御し、
前記判断情報記憶制御手段は、前記通信手段が前記異なる電子装置から前記判断情報を受信した場合に、当該判断情報を記憶手段に記憶させることを特徴とする請求項７に記載の画像出力装置
【請求項１０】
前記記憶手段は、更新情報を代理転送するために予め定められた代理電子装置を前記コンピュータに識別させるための識別情報を記憶しており、
前記更新情報送信制御手段は、前記代理電子装置と通信するとき、前記記憶手段が記憶している更新情報を、前記代理電子装置に送信するよう、前記通信手段を制御することを特徴とする請求項９に記載の画像出力装置
【請求項１１】
前記更新情報記憶制御手段は、複数の前記更新情報、または、複数の前記更新済判断情報を、前記判断情報の送信元である電子装置を前記コンピュータに識別させるための識別情報ごとに対応付けて前記記憶手段に記憶させ、
前記判断情報記憶制御手段は、前記通信手段が前記判断情報の送信元である電子装置と異なる電子装置から前記判断情報を受信した場合に、当該判断情報を記憶手段に記憶させ、
前記更新情報送信制御手段は、前記通信手段が前記判断情報の送信元である電子装置と通信できない状態から、前記判断情報の送信元である電子装置と通信できる状態になり、かつ、前記記憶手段が前記判断情報の送信元である電子装置に対応する前記更新情報、または、前記更新済判断情報を記憶している場合に、前記更新情報、または、前記更新済判断情報を前記判断情報の送信元である電子装置に送信するよう、前記通信手段を制御し、
前記更新情報送信制御手段は、前記通信手段が前記異なる電子装置と通信できない状態から、前記異なる電子装置と通信できる状態になり、かつ、前記記憶手段が異なる電子装置に対応する更新情報、または、前記更新済判断情報を記憶している場合に、前記更新情報、または、更新済判断情報を前記異なる電子装置に送信するよう、前記通信手段を制御する、ことを特徴とする請求項２乃至９のいずれか１項に記載の画像データ処理装置。
【請求項１２】
画像データ処理装置と、画像データ処理の実行の可否を前記画像データ処理装置に判断させるための判断情報を、複数の電子装置それぞれに対応付けて記憶している管理装置と、第１の通信方式による通信を前記画像データ処理装置との間で行う第１の電子装置側通信手段と、前記第１の通信方式とは異なる第２の通信方式による通信を前記管理装置との間で行う第２の電子装置側通信手段と、を備える複数の電子装置と、を備えるシステムで使用される電子装置のコンピュータが読み取り可能なプログラムであって、
前記コンピュータを、
前記第２の電子装置側通信手段が前記管理装置から前記判断情報を受信した場合に、当該判断情報を記憶手段に記憶させる電子装置側判断情報記憶制御手段と、
前記第１の電子装置側通信手段が前記画像データ処理装置との間で通信するときに、前記記憶手段が記憶している判断情報を前記画像データ処理装置に送信するよう、前記第１の電子装置側通信手段を制御する電子装置側判断情報送信制御手段と、して機能させることを特徴とするプログラム。
【請求項１３】
画像データ処理装置と、管理装置と、第１の通信方式による通信を前記画像データ処理装置との間で行い、前記第１の通信方式とは異なる第２の通信方式による通信を前記管理装置との間で行う複数の前記電子装置と、を備えるシステムで使用される管理装置であって、
コンピュータと、
画像データ処理の実行の可否を前記画像データ処理装置に判断させるための判断情報を、複数の電子装置それぞれに対応付けて記憶する記憶手段と、
前記第２の通信方式で前記電子装置と通信する管理装置側通信手段と、
を備え、
前記コンピュータは、前記管理装置側通信手段が前記電子装置との間で通信するときに、前記記憶手段が記憶している判断情報を前記電子装置に送信するよう、前記管理装置側通信手段を制御する管理装置側判断情報送信制御手段と、して機能することを特徴とする管理装置。
【発明の詳細な説明】
【技術分野】
【０００１】
本明細書に開示の技術は、各種の情報を集中管理することが可能な画像出力装置、通信装置のプログラム、および、情報管理装置に関する。
【背景技術】
【０００２】
特許文献１には、サーバと複数の画像形成装置とがネットワークで通信可能に接続されており、複数の画像形成装置の状態をサーバで集中管理するシステムが開示されている。特許文献１のシステムでは、画像形成装置は、ユーザにログインされると、サーバに印刷枚数の借り入れを要求する。サーバは、ログインしているユーザに対して印刷枚数を貸し出し可能である場合には、画像形成装置に印刷枚数を貸し出す。画像形成装置は、印刷を実行後、借り入れた印刷枚数から印刷に使用した枚数を引いた枚数を、サーバに返却する。
【先行技術文献】
【特許文献】
【０００３】
【特許文献１】特開２００７−３０１９０号公報
【発明の概要】
【発明が解決しようとする課題】
【０００４】
画像形成装置がネットワークに恒常的に接続されない場合がある。この場合、画像形成装置の状態を、サーバで集中管理することが困難であった。本明細書では、このような不便性を解消することができる技術を提供する。
【課題を解決するための手段】
【０００５】
本明細書に開示されている画像データ処理装置では、画像データ処理装置と、画像データ処理の実行の可否をコンピュータに判断させるための判断情報を、複数の電子装置それぞれに対応付けて記憶している管理装置と、第１の通信方式による通信を画像データ処理装置との間で行い、第１の通信方式とは異なる第２の通信方式による通信を管理装置との間で行い、管理装置から電子装置自身に対応する判断情報を受信する複数の電子装置と、を備えるシステムで使用される画像データ処理装置であって、コンピュータと、第１の通信方式で電子装置と通信する通信手段と、を備え、コンピュータは、画像データを処理する画像データ処理手段と、通信手段が電子装置から判断情報を受信した場合に、当該判断情報を記憶手段に記憶させる判断情報記憶制御手段と、して機能し、画像データ処理手段は、記憶手段が記憶している判断情報に基づいて、コンピュータが画像データ処理の実行が可能であると判断したときに、画像データ処理を実行することを特徴とする。
【０００６】
本明細書に開示の画像出力装置では、通信手段が実行する第１の通信方式で、情報管理装置と通信を実行できなくとも、第１の通信方式で画像出力装置と通信し、第２の通信方式で情報管理装置と通信する電子装置を用いて、画像出力装置が画像データ処理の可否を判断するための判断情報を記憶している情報管理装置と画像出力装置との間での判断情報の通信を中継することができる。これにより、画像データ処理手段は、情報管理装置が記憶している判断情報に基づいて画像データ処理を実行することが可能となる。判断情報に基づく画像データ処理の一例としては、判断情報が印刷可能な枚数を示す情報である場合には、印刷可能な枚数の範囲内で印刷を実行する処理が挙げられる。これにより、画像出力装置での画像データ処理を情報管理装置が記憶する判断情報によって制御することが可能となる。
【０００７】
「データ」と「情報」の文言の定義を記載する。「データ」は、画像データ処理装置や電子装置のコンピュータが用いるデータそのものを意味している。「情報」は、コンピュータが各種の判断に用いる情報であって、データそのものではなく、データを媒体としてコンピュータに与えられる、概念的な情報を意味している。本明細書では、上述したように、「データ」と「情報」を明示的に使い分けている。
【０００８】
請求項２に記載の画像出力装置では、電子装置の第２の通信形式を用いて、情報管理装置と画像出力装置との間での更新情報の通信を中継することができる。ここで更新情報は、データ処理の結果に基づく情報であり、判断情報を更新させるために用いられる情報である。これにより、データ処理の結果に関する情報を、情報管理装置で管理することが可能となる。
【０００９】
請求項３に記載の画像出力装置では、第２の通信方式の通信を制限するか否かを設定することが可能となる。これにより、第２の通信方式による通信設定で制限した画像出力装置での画像データ処理を、情報管理装置が記憶する判断情報によって制御することが可能となる。
【００１０】
請求項４に記載の画像出力装置では、電子装置を用いて、情報管理装置と画像出力装置との間での判断情報の通信を中継することで、第１の通信方式では直接通信できない遠距離に存在している情報管理装置が記憶している判断情報に基づく画像データ処理を実現することが可能となる。
【００１１】
請求項５に記載の画像出力装置では、画像出力装置に対して電子装置をかざす動作や接触させるという簡易で直観的な操作によって、電子装置を用いた、情報管理装置と画像出力装置との間での判断情報の通信の中継を行うことが可能となる。
【００１２】
請求項６に記載の画像出力装置では、ＮＦＣインターフェースプロトコルによって、電子装置と通信することができる。よって、簡易で直観的な操作によって電子装置を用いた、情報管理装置と画像出力装置との間での判断情報の通信の中継を行うことが可能となる。
【００１３】
請求項７に記載の画像出力装置では、電子装置によって中継された、情報管理装置が記憶している判断情報に基づく画像データ処理を実行したときに、更新情報の送信前に、電子装置との第１の通信方式による通信ができない状態に一旦なったとしても、電子装置と第１の通信方式による通信を開始したことに起因して、記憶手段に記憶されていた更新情報を情報管理装置へ送信することができる。
【００１４】
請求項８に記載の画像出力装置では、電子装置によって中継された、情報管理装置が記憶している判断情報を記憶するときに、通信手段が電子装置と通信できる状態にする必要性があることについての注意を、ユーザに喚起することができる。すなわち、ユーザに、画像出力装置が画像データ処理を実行したときに、更新情報の送信まで、電子装置との第１の通信方式による通信ができる状態の維持を意識させることができる、および、ユーザに、画像データ処理を実行したときに、更新情報の送信前に、電子装置との第１の通信方式による通信ができない状態に一旦なったとしても、電子装置との第１の通信方式による通信ができる状態にすればよいことを意識させることができる。これにより、更新情報が情報管理装置へ未送信のまま、記憶手段に記憶された状態で放置されてしまう事態を防止することができる。
【００１５】
請求項９に記載の画像出力装置では、判断情報の送信元である電子装置とは異なる他の電子装置が画像出力装置との第１の通信形式による通信を開始した場合に、判断情報の送信元の電子装置に代理して、他の電子装置が、記憶手段に記憶されている更新情報を情報管理装置へ送信することができる。これにより、更新情報が情報管理装置へ未送信のまま、記憶手段に記憶された状態で放置されてしまう事態を防止することができる。
【００１６】
請求項１０に記載の画像出力装置では、代理電子装置以外の電子装置に関連する更新情報が記憶手段に記憶されている場合に、代理電子装置を用いて、これらの更新情報を情報管理装置へ送信することができる。これにより、実行結果情報が情報管理装置へ未送信のまま、記憶手段に記憶された状態で放置されてしまう事態を防止することができる。
【００１７】
請求項１１に記載の画像出力装置では、判断情報の送信元である電子装置とは異なる他の電子装置から受信した判断情報を記憶手段に記憶させることができる。また、判断情報の送信元である電子装置とは異なる電子装置と通信できる状態になった場合に、異なる電子装置に対応する更新情報を電子装置に送信することができる。これにより、複数の電子装置に関連する処理を並列して実行することができるため、画像出力装置を効率よく稼動させることが可能となる。
【００１８】
なお、上記の画像データ処理装置を実現するための制御方法、コンピュータプログラム、及び、当該コンピュータプログラムを格納するコンピュータ読取可能記録媒体も、新規で有用である。
【図面の簡単な説明】
【００１９】
【図１】印刷システムのブロック図である。
【図２】ＭＦＰの動作フローチャートを示す図である。
【図３】ＭＦＰの動作フローチャートを示す図である。
【図４】ＭＦＰの動作フローチャートを示す図である。
【図５】ＭＦＰの動作フローチャートを示す図である。
【図６】ＭＦＰの動作フローチャートを示す図である。
【図７】携帯電話の動作フローチャートを示す図である。
【図８】携帯電話の動作フローチャートを示す図である。
【図９】携帯電話の動作フローチャートを示す図である。
【図１０】サーバの動作フローチャートを示す図である。
【図１１】管理テーブルの一例を示す図である。
【図１２】管理テーブルの一例を示す図である。
【図１３】管理テーブルの一例を示す図である。
【図１４】印刷システムのシーケンス図である。
【図１５】印刷システムのシーケンス図である。
【図１６】印刷システムのシーケンス図である。
【図１７】印刷システムのシーケンス図である。
【発明を実施するための形態】
【００２０】
図１に、本願に係る実施形態として例示される印刷システム１のブロック図を示す。印刷システム１は、第１携帯電話８、第２携帯電話９、管理者携帯電話１０、ＭＦＰ（Multifunction Peripheralの略）５１および５２、アクセスポイント６２、サーバ７１、を備える。第１携帯電話８、第２携帯電話９、管理者携帯電話１０、ＭＦＰ５１および５２は、既知の無線ＬＡＮ端末装置としての機能、および、既知のＮＦＣ（Near Field Communicationの略）端末としての機能を備える。また、ＭＦＰ５１および５２は、プリンタ機能、スキャナ機能、コピー機能、などを備える多機能周辺装置である。アクセスポイント６２は、既知の無線ＬＡＮアクセスポイントとしての機能を備える。サーバ７１は、アクセスポイント６２に接続されている。
【００２１】
ＭＦＰ５１のＮＦＣ送受信部３６は、第１携帯電話８〜管理者携帯電話１０の各々との間でＮＦＣ通信２０１〜２０３を行うことにより、各種のデータを構成するデジタル信号を送受信する。また、サーバ７１の通信部７４は、アクセスポイント６２を介して、第１携帯電話８〜管理者携帯電話１０の各々との間で無線ＬＡＮ通信２１１〜２１３を行う。すなわち、ＭＦＰ５１は、第１携帯電話８〜管理者携帯電話１０を介して、サーバ７１とデータ通信することが可能とされている。また、ＭＦＰ５１は、無線送受信部３４を備えているが、無線送受信部を使った無線ＬＡＮ通信ができないように設定されている。なおＭＦＰ５２も、ＭＦＰ５１と同様にして、第１携帯電話８〜管理者携帯電話１０を介して、サーバ７１とデータ通信することが可能とされているが、図面の簡略化のため、図１への図示を省略している。なお、無線ＬＡＮ方式の例としては、例えばＩＥＥＥ８０２。１１ａ／ｂ／ｇ／ｎの規格で定められる通信方式が挙げられる。
【００２２】
印刷システム１の概要を説明する。印刷システム１は、ユーザごとの判断情報を、サーバ７１で集中管理することができるシステムである。携帯電話の各々はユーザの各々に所属しているため、ユーザごとの判断情報とは、すなわち、第１携帯電話８、第２携帯電話９それぞれに対応する判断情報のことである。判断情報は、ＭＦＰ５１および５２で各種の処理を実行する際の制限（例：印刷可能枚数）を判断するための情報である。判断情報をＭＦＰ５１および５２の各々で管理するのではなく、サーバ７１で一元管理することによって、ユーザごとにＭＦＰ操作に対する権限をコントロールすることが可能とされている。
【００２３】
＜ＭＦＰ５１の構成＞
ＭＦＰ５１の構成について説明する。ＭＦＰ５１は、ＣＰＵ（Central Processing Unitの略）３２、記憶部３３、無線送受信部３４、ＮＦＣ送受信部３６、ボタン入力部３８、パネル３９、プリンタ１９、スキャナ２０、を主に備えている。これらの構成要素は、入出力ポート４３を介して互いに通信可能とされている。
【００２４】
ＣＰＵ３２は、記憶部３３に記憶されるプログラム２１を実行する。以降、ＯＳ（Operating Systemの略）２９など、プログラムを実行するＣＰＵ３２のことを、単にプログラム名でも記載する場合がある。例えば「ＯＳ２９が」という記載は、ＯＳ２９を実行するＣＰＵ３２が」を意味する場合がある。
【００２５】
記憶部３３は、ＲＡＭ（Random Access Memoryの略）、ＲＯＭ（Read Only Memoryの略）、フラッシュメモリ、ＨＤＤ（ハードディスクの略）、ＣＰＵ７２が備えるバッファなどが組み合わされて構成されている。記憶部３３は、プログラム２１を記憶する。プログラム２１は、ＯＳ２９等を含む。ＯＳ２９は、ＮＦＣ送受信部３６に通信を実行させるためのプログラム等を含む。またＯＳ２９は、各種のハードウェアが取得した情報を各プログラムが取得するための、もしくは、各プログラムが各種ハードウェアに指示をするためのＡＰＩ（Application Programming Interfaceの略）を提供するプログラムでもある。
【００２６】
記憶部３３は、携帯電話ＩＤ、判断情報、更新情報、無線ＬＡＮ制限情報、ログインフラグ、画像データ、管理者携帯電話ＩＤ、ＭＦＰ−ＩＤ５１ａ、などを記憶する。
【００２７】
携帯電話ＩＤは、第１携帯電話８〜管理者携帯電話１０の各々を識別するための情報である。判断情報は、ＭＦＰ５１での各種の処理の実行可否を判断するための情報である。判断情報に含まれる情報の一例としては、印刷可能枚数（例：１００枚など）、印刷可能サイズ（例：Ａ４サイズのみ印刷可能、など）、印刷可能カラーモード（例：モノクロのみ印刷可能、など）、が挙げられる。判断情報は、携帯電話ＩＤに対応付けて記憶される。
【００２８】
更新情報は、判断情報を更新するための情報である。判断情報に含まれる情報の一例としては、印刷を実行した枚数などが挙げられる。判断情報を更新する態様の一例としては、印刷可能枚数から印刷を実行した枚数を減算する態様が挙げられる。
【００２９】
無線ＬＡＮ制限情報は、無線送受信部３４による無線ＬＡＮ通信を制限するか否かについての情報である。ログインフラグは、どの携帯電話がＭＦＰ５１にログインしているかを記憶する情報である。携帯電話の各々はユーザの各々に所属しているため、「携帯電話がＭＦＰ５１にログインする」とは、「ユーザがＭＦＰにログインする」ことと同義である。ログインフラグは、携帯電話ＩＤに対応付けられて、記憶部３３に記憶される。
【００３０】
画像データは、プリンタ１９での印刷処理に用いられるデータである。管理者携帯電話ＩＤは、管理者携帯電話１０を識別するための情報である。管理者携帯電話１０は、更新情報を代理転送するために予め定められた携帯電話である。ＭＦＰ−ＩＤ５１ａは、ＭＦＰ５１を識別するための情報である。ＭＦＰ−ＩＤ５１ａには、例えば、ＭＦＰ５１の製造シリアル番号を用いても良い。
【００３１】
ボタン入力部３８は、ＭＦＰ５１の各機能を実行するためのキーである。ボタン入力部３８は、タッチパネルとして、パネル３９と一体に構成されていてもよい。パネル３９は、ＭＦＰ５１の各種機能情報を表示する。無線送受信部３４は、無線ＬＡＮ方式のインフラストラクチャーモードに準拠する無線ＬＡＮ通信を行う。すなわち、無線送受信部３４は、電波を用いて、アクセスポイントを介してデータ通信する方式による無線ＬＡＮ通信を行う。ただし、本実施形態では、ＭＦＰ５１、ＭＦＰ５２ともに、無線送受信部３４が無線ＬＡＮ通信を行わないよう設定されている。ＮＦＣ送受信部３６は、第１携帯電話８〜管理者携帯電話１０との間で、ＮＦＣ通信２０１〜２０３を行う。ＮＦＣ通信２０１〜２０３は、ＮＦＣインターフェースプロトコルの通信方式による近接場型の無線通信であり、通信エリアがおよそ１メートル以内の極短距離である通信である。ＮＦＣ通信２０１〜２０３を確立するためには、通信設定のための各種の情報（例：ＩＰアドレス、ＳＳＩＤなど）は不要である。無線ＬＡＮ通信２１１〜２１３および２２０は、ＮＦＣ通信２０１〜２０３よりも通信可能距離が大きい通信である。また、無線ＬＡＮ通信２１１〜２１３および２２０の通信速度は、ＮＦＣ通信２０１〜２０３の通信速度よりも高速である。プリンタ１９は、記憶部３３に記憶されている画像データを用いて印刷を実行する部位である。スキャナ２０は、読み取りを実行する部位である。
【００３２】
なおＭＦＰ５２も、ＭＦＰ５１と同様の構成を備えているが、図面の簡略化のため、図１への図示を省略している。
【００３３】
＜第１携帯電話８〜管理者携帯電話１０の構成＞
第１携帯電話８および第２携帯電話９は、ＭＦＰ５１および５２の一般ユーザによって使用される携帯電話である。一般ユーザとは、ＭＦＰ５１および５２の各種設定を行う権限を有さないユーザであり、ＭＦＰ５１および５２の保守を行うユーザでもないユーザのことである。管理者携帯電話１０は、ＭＦＰ５１および５２の管理者によって使用される携帯電話である。管理者とは、ＭＦＰ５１および５２の各種設定を行う権限を有しているユーザ、および、ＭＦＰ５１および５２の保守を行うユーザのうち、少なくともいずれかのことである。また管理者携帯電話１０は、第１携帯電話８や第２携帯電話９に代理して、後述する更新情報をサーバ７１へ送信することができる携帯電話である。
【００３４】
第１携帯電話８の構成について説明する。図１に示すように、第１携帯電話８は、スピーカ３、マイク４、ＣＰＵ１１、記憶部１２、ボタン入力部１７、パネル１８、携帯電話送受信部２２、携帯電話アンテナ部２３、ＮＦＣ送受信部２４、無線送受信部２５、カメラ部２７、を主に備えている。ＣＰＵ１１は、記憶部１２に記憶されているプログラムを実行する。これらの構成要素は、入出力ポート７を介して互いに通信可能とされている。
【００３５】
スピーカ３およびマイク４は、通話や音声入力を行うための部位である。記憶部１２には、第１携帯電話ＩＤが記憶されている。第１携帯電話ＩＤは、第１携帯電話８を識別するための情報である。
【００３６】
無線送受信部２５は、無線ＬＡＮ方式のインフラストラクチャーモードに準拠する無線ＬＡＮ通信２１１を、アクセスポイント６２との間で行う。ＮＦＣ送受信部２４は、ＭＦＰ５１との間で、ＮＦＣ通信２０１を行う。携帯電話送受信部２２は、携帯電話アンテナ部２３を介して、基地局（不図示）との間で携帯電話通信の方式に準拠する無線通信を行う。ボタン入力部１７は、第１携帯電話８の使用者による操作を受け付ける部位である。ボタン入力部１７は、タッチパネルとして、パネル１８と一体に構成されていてもよい。パネル１８は、第１携帯電話８の各種機能情報を表示する。カメラ部２７は、ＣＣＤ等により所定範囲を撮影して画像データを取得する部位である。
【００３７】
なお、第２携帯電話９および管理者携帯電話１０の構成は、第１携帯電話８の構成と同様であるため、詳細な構成の図示および説明は省略している。
【００３８】
＜サーバ７１の構成＞
サーバ７１の構成について説明する。サーバ７１は、ＣＰＵ７２、記憶部７３、通信部７４、を主に備えている。これらの構成要素は、入出力ポート７６を介して互いに通信可能とされている。記憶部７３は、ＲＡＭ、ＲＯＭ、フラッシュメモリ、ＨＤＤなどが組み合わされて構成されている。また記憶部７３は、管理テーブル７７を記憶する。図１１〜図１３に、管理テーブル７７の一例を示す。管理テーブル７７は、登録携帯電話ＩＤ３０１、判断情報３０２、ログイン中フラグ３０３、ログイン中ＭＦＰ−ＩＤ３０４、を記憶する。登録携帯電話ＩＤ３０１は、サーバ７１で集中管理する対象として登録されている携帯電話の携帯電話ＩＤである。本実施形態の説明例では、登録携帯電話ＩＤ３０１として、第１携帯電話ＩＤおよび第２携帯電話ＩＤが記憶されている。
【００３９】
判断情報３０２は、ＭＦＰでの印刷実行の可否を判断するための情報である。判断情報には、例えば、印刷枚数制限情報、印刷用紙制限情報、印刷カラー制限情報、などが存在する。印刷枚数制限情報は、例えば、第１携帯電話ＩＤのユーザは１００枚まで印刷可能であり、第２携帯電話ＩＤのユーザは５００枚まで印刷可能である、などの制限を示す情報である。印刷用紙制限情報は、例えば、第１携帯電話ＩＤのユーザはＡ３用紙への印刷は２０枚まで可能であり、第２携帯電話ＩＤのユーザはＡ３用紙への印刷を無制限に実施できる、などの制限を示す情報である。印刷カラー制限情報は、例えば、第１携帯電話ＩＤのユーザはカラーモードでの印刷は１０枚まで可能であり、第２携帯電話ＩＤのユーザはカラーモードでの印刷を無制限に実施できる、などの制限を示す情報である。
【００４０】
ログイン中フラグ３０３は、ＭＦＰにログイン中のユーザが使用している携帯電話を識別する情報である。ＭＦＰにログイン中のユーザが使用している登録携帯電話ＩＤ３０１に対応するログイン中フラグ３０３が、「オン」に設定される。ログイン中ＭＦＰ−ＩＤ３０４は、携帯電話がログイン中のＭＦＰを識別するための情報である。
【００４１】
ここで、「データ」と「情報」の文言の、本明細書における定義を記載する。「データ」は、ＭＦＰや携帯電話のＣＰＵが用いるデータそのものを意味している。「情報」は、ＣＰＵが各種の判断に用いる情報であって、データそのものではなく、データを媒体としてＣＰＵに与えられる、概念的な情報を意味している。本明細書では、上述したように、「データ」と「情報」を明示的に使い分けている。例えば、データ送信側装置（例：第１携帯電話８）が送信する「データ」と、当該データを受信するデータ受信側装置（例：ＭＦＰ５１）が記憶する「データ」との内容が異なるものの、どちらも同じ「情報」である場合がある。具体例としては、第１携帯電話８が「カラー印刷不可」という判断情報を１バイトの「データ」で送信し、これを受信したＭＦＰ５１が「カラー印刷不可」を示す１０バイトの「データ」に変換して記憶部３３に記憶する場合が挙げられる。
【００４２】
＜ＭＦＰの動作＞
図２〜図６を用いて、ＭＦＰ５１で行われるＮＦＣ通信に係る動作を説明する。なお、ＭＦＰ５２で行われる動作も、以下で説明する動作と同様である。ＭＦＰ５１が起動すると、図２のフローが示す処理が開始される。図２のＳ１１２においてＣＰＵ３２は、ＮＦＣ通信２０１〜２０３によるアクセスが行われたか否かを判断する。ＮＦＣ通信２０１〜２０３によるアクセスは、第１携帯電話８〜管理者携帯電話１０が、ＮＦＣ送受信部３６を中心とする所定距離内に近接することによって開始される。所定距離は、例えば１０ｃｍ程度であってもよい。ＮＦＣ通信によるアクセスが行われていない場合（Ｓ１１２：ＮＯ）にはＳ１１２へ戻り、アクセスが行われた場合（Ｓ１１２：ＹＥＳ）にはＳ１１３へ進む。
【００４３】
Ｓ１１３においてＣＰＵ３２は、ＮＦＣ通信の通信先の携帯電話の携帯電話ＩＤを受信する。Ｓ１１４においてＣＰＵ３２は、ＮＦＣ通信の通信先の携帯電話が、管理者携帯電話１０であるか否かを判断する。当該判断は、ＮＦＣ通信の通信先の携帯電話の携帯電話ＩＤが、記憶部３３に記憶されている管理者携帯電話ＩＤと一致するか否かによって行われても良い。管理者携帯電話１０からアクセスが行われている場合（Ｓ１１４：ＹＥＳ）には、Ｓ１１６へ進む。Ｓ１１６においてＣＰＵ３２は、第１携帯電話８に関する更新情報、または、第２携帯電話９に関する更新情報が、記憶部３３に記憶されているか否かを判断する。記憶されていない場合（Ｓ１１６：ＮＯ）にはＳ１１２へ戻り、記憶されている場合（Ｓ１１６：ＹＥＳ）にはＳ１１８へ進む。Ｓ１１８においてＣＰＵ３２は、ＭＦＰ返却処理を実行する。ＭＦＰ返却処理の内容については後述する。
【００４４】
一方、Ｓ１１４において、ＮＦＣ通信の通信先の携帯電話が管理者携帯電話１０ではない場合（Ｓ１１４：ＮＯ）には、Ｓ１２０へ進む。Ｓ１２０においてＣＰＵ３２は、ＮＦＣ通信の通信先の携帯電話が、ＭＦＰ５１にログイン中の携帯電話であるか否かを判断する。当該判断は、ＮＦＣ通信の通信先の携帯電話の携帯電話ＩＤが、ログインフラグに対応付けられて記憶部３３に記憶されているか否かによって行われても良い。ＮＦＣ通信の通信先の携帯電話がログイン中の携帯電話である場合（Ｓ１２０：ＹＥＳ）にはＳ１２２へ進む。
【００４５】
Ｓ１２２においてＣＰＵ３２は、ログアウトするか否かを判断する。例えば、ログアウトを実行を指示する入力を受け付けるボタンであるログアウトボタンがパネル３９に表示されており、当該ログアウトボタンがタッチされたかを判断してもよい。ログアウトしない場合（Ｓ１２２：ＮＯ）にはＳ１１２へ戻り、ログアウトする場合（Ｓ１２２：ＹＥＳ）にはＳ１２４へ進む。
【００４６】
Ｓ１２４においてＣＰＵ３２は、ＮＦＣ通信の通信先の携帯電話についての更新情報が、記憶部３３に記憶されているか否かを判断する。記憶されていない場合（Ｓ１２４：ＮＯ）にはＳ１１２へ戻り、記憶されている場合（Ｓ１２４：ＹＥＳ）にはＳ１２６へ進む。Ｓ１２６においてＣＰＵ３２は、ＭＦＰ返却処理を実行する。ＭＦＰ返却処理の内容については後述する。そしてＳ１１２へ戻る。
【００４７】
一方、Ｓ１２０において、ＮＦＣ通信の通信先の携帯電話がＭＦＰ５１にログイン中ではない場合（Ｓ１２０：ＮＯ）には、Ｓ１２８へ進む。Ｓ１２８においてＣＰＵ３２は、ＮＦＣ通信の通信先の携帯電話以外の他の携帯電話が、ＭＦＰ５１にログイン中であるか否かを判断する。当該判断は、他の携帯電話の携帯電話ＩＤが、ログインフラグに対応付けられて記憶部３３に記憶されているか否かによって行われても良い。他の携帯電話がログイン中である場合（Ｓ１２８：ＹＥＳ）には、Ｓ１２９へ進む。Ｓ１２９においてＣＰＵ３２は、他の携帯電話がログイン中であるため、ＮＦＣ通信の通信先の携帯電話がログインできないことを示すエラー表示を、パネル３９に表示する。これにより、ＭＦＰ５１にログインできる携帯電話を１台に制限することができるため、多重ログインを防止することが可能となる。一方、他の携帯電話がログイン中ではない場合（Ｓ１２８：ＮＯ）には、Ｓ１３０（図３）へ進む。
【００４８】
Ｓ１３０においてＣＰＵ３２は、何れかの携帯電話の更新情報が記憶部３３に記憶されているか否かを判断する。更新情報が記憶されていない場合（Ｓ１３０：ＮＯ）にはＳ１３３へ進み、記憶されている場合（Ｓ１３０：ＹＥＳ）にはＳ１３２へ進む。Ｓ１３２においてＣＰＵ３２は、ＭＦＰ返却処理を実行する。ＭＦＰ返却処理の内容については後述する。
【００４９】
Ｓ１３３においてＣＰＵ３２は、無線ＬＡＮ通信が制限されているか否かを判断する。当該判断は、記憶部３３に無線ＬＡＮ制限情報が記憶されているか否かによって行われる。無線ＬＡＮ通信が制限されていない場合（Ｓ１３３：ＮＯ）にはＳ１１２へ戻る。これにより、無線ＬＡＮ通信が制限されていないときには、サーバ７１が記憶する判断情報をＭＦＰ５１が受信しないように制御することができる。よって、サーバ７１が記憶しており、ＭＦＰ５１が受信した判断情報を、無線ＬＡＮ経由で不必要に送信してしまうことを防止することができる。また、無線ＬＡＮ通信が制限されている場合（Ｓ１３３：ＹＥＳ）にはＳ１３４へ進む。
【００５０】
Ｓ１３４においてＣＰＵ３２は、ＮＦＣ通信の通信先の携帯電話に関する判断情報を要求することを示す判断情報要求命令情報と、記憶部３３から読みだしたＭＦＰ−ＩＤを、ＮＦＣ通信の通信先の携帯電話へ送信する。Ｓ１３６においてＣＰＵ３２は、ＮＦＣ通信の通信先の携帯電話に関する判断情報を、ＮＦＣ通信の通信先の携帯電話から受信したか否かを判断する。受信していない場合（Ｓ１３６：ＮＯ）にはＳ１３８へ進む。Ｓ１３８においてＣＰＵ３２は、タイムアウトが発生したか否かを判断する。タイムアウト発生の判断は、Ｓ１３４で判断情報要求命令情報を送信してから、予め定められた所定時間が経過したか否かによって行われても良い。タイムアウトが発生していない場合（Ｓ１３８：ＮＯ）にはＳ１３６へ戻り、タイムアウトが発生した場合（Ｓ１３８：ＹＥＳ）にはＳ１４０へ進む。Ｓ１４０においてＣＰＵ３２は、タイムアウトが発生したことを示すエラー表示をパネル３９に表示する。そしてＳ１１２へ戻る。
【００５１】
一方、Ｓ１３６において、ＮＦＣ通信の通信先の携帯電話に関する判断情報を受信した場合（Ｓ１３６：ＹＥＳ）には、Ｓ１４２へ進む。Ｓ１４２においてＣＰＵ３２は、受信した判断情報を、ＮＦＣ通信の通信先の携帯電話の携帯電話ＩＤと対応付けて、記憶部３３に記憶させる。
【００５２】
Ｓ１４４においてＣＰＵ３２は、ＮＦＣ通信の通信先の携帯電話がＭＦＰ５１へログインすることが成功したこと、および、印刷処理を実行した後にログアウトする必要があることを、パネル３９に表示する。Ｓ１４６においてＣＰＵ３２は、ＮＦＣ通信の通信先の携帯電話の携帯電話ＩＤに対応付けて、ログインフラグを記憶部３３に記憶させる。これにより、ＮＦＣ通信の通信先の携帯電話がＭＦＰ５１にログイン状態であることが、ＭＦＰ５１に記憶される。そしてＳ１１２へ戻る。
【００５３】
図４のフローを用いて、ＭＦＰ返却処理を説明する。ＭＦＰ返却処理は、Ｓ１１８、Ｓ１２６、Ｓ１３２で開始される処理である。Ｓ２０８においてＣＰＵ３２は、無線ＬＡＮ通信が制限されているか否かを判断する。当該判断は、記憶部３３に無線ＬＡＮ制限情報が記憶されているか否かによって行われる。無線ＬＡＮ通信が制限されていない場合（Ｓ２０８：ＮＯ）にはフローを終了し、制限されている場合（Ｓ２０８：ＹＥＳ）にはＳ２１０へ進む。
【００５４】
Ｓ２１０においてＣＰＵ３２は、ＮＦＣ通信を用いて、記憶部３３に記憶されている全ての更新情報を、ＮＦＣ通信の通信先の携帯電話へ送信する。このとき更新情報は、対応する携帯電話ＩＤとともに送信される。Ｓ２１２においてＣＰＵ３２は、ユーザに対して、ＮＦＣ通信状態を維持するように指示する報知を行う。例えば、「携帯電話をＭＦＰにかざしたままにして下さい」という文字列を、パネル３９に表示してもよい。Ｓ２１４においてＣＰＵ３２は、携帯電話から、返却完了情報を受信したか否かを判断する。返却完了情報は、サーバ７１へ更新情報を送信完了したことを示す情報である。返却完了情報を受信していない場合（Ｓ２１４：ＮＯ）にはＳ２１６へ進む。
【００５５】
Ｓ２１６においてＣＰＵ３２は、タイムアウトが発生したか否かを判断する。タイムアウト発生の判断は、Ｓ２１０で更新情報を携帯電話へ送信してから、予め定められた所定時間が経過したか否かによって行っても良い。タイムアウトが発生していない場合（Ｓ２１６：ＮＯ）にはＳ２１４へ戻り、タイムアウトが発生した場合（Ｓ２１６：ＹＥＳ）にはＳ２１８へ進む。Ｓ２１８においてＣＰＵ３２は、タイムアウトが発生したことを示すエラー表示をパネル３９に表示する。そしてフローを終了する。
【００５６】
一方、Ｓ２１４において、返却完了情報を受信した場合（Ｓ２１４：ＹＥＳ）にはＳ２２０へ進む。Ｓ２２０においてＣＰＵ３２は、Ｓ２１２で表示した文字列を、パネル３９から消去する。Ｓ２２４においてＣＰＵ３２は、ＮＦＣ通信の通信先の携帯電話へ送信した更新情報を、記憶部３３から消去する。Ｓ２２６においてＣＰＵ３２は、記憶部３３から消去した更新情報に対応する携帯電話の判断情報とログインフラグとが記憶部３３に記憶されていた場合、記憶部３３が記憶している判断情報とログインフラグとを、記憶部３３から消去する。Ｓ２２８においてＣＰＵ３２は、全ての携帯電話のログアウトが完了したことを示すログアウト完了情報を、ＮＦＣ通信の通信先の携帯電話へ送信する。そしてフローを終了する。
【００５７】
図５を用いて、ＭＦＰ５１で行われる印刷処理を説明する。印刷処理は、図２〜図４の処理とは平行して行なわれる処理である。ＭＦＰ５１が起動すると、印刷処理が開始される。Ｓ３１０においてＣＰＵ３２は、印刷実行指示の入力を受け付けたか否かを判断する。例えば、印刷実行ボタンがパネル３９に表示されており、当該印刷実行ボタンがタッチされたことに応じて、印刷実行指示の入力が受け付けられるとしてもよい。印刷実行指示が受け付けられていない場合（Ｓ３１０：ＮＯ）にはＳ３１０へ戻り、受け付けられた場合（Ｓ３１０：ＹＥＳ）にはＳ３１２へ進む。
【００５８】
Ｓ３１２においてＣＰＵ３２は、ＭＦＰ５１にログイン中の携帯電話のユーザに対して、印刷を許可できるか否かを判断する。当該判断は、ログイン中の携帯電話についての判断情報を用いて行われる。具体的に、判断情報が１０枚までの印刷が可能であることを示す場合には、１０枚以下の印刷は許可し、１１枚以上の印刷は許可しない。印刷が許可できなかった場合（Ｓ３１２：ＮＯ）にはＳ３１４へ進み、ＣＰＵ３２は、印刷が実行できないことを示すエラー表示をパネル３９に表示する。そしてフローを終了する。一方、印刷が許可できると判断された場合（Ｓ３１２：ＹＥＳ）には、Ｓ３１６へ進む。Ｓ３１６においてＣＰＵ３２は、記憶部３３に記憶されている画像データを用いて、プリンタ１９に印刷を実行させる。Ｓ３１６で行われる印刷は、ログイン中の携帯電話についての判断情報および、印刷実行内容に応じて生成される更新情報を用いて行ってもよい。具体的な例では、１回目の印刷において５枚の印刷が許可されて５枚の印刷が終わった場合には、後述するＳ３１８において、５枚印刷したことを示す更新情報が、ログイン中の携帯電話に対応付けて記憶部３３に記憶される。ここで、ログイン中の携帯電話について、判断情報に含まれている印刷可能枚数が１０枚までの印刷が可能であることを示しており、更新情報が５枚印刷したことを示している場合を考える。この場合、２回目の印刷では、５枚以下の印刷は許可されるが、５枚以上の印刷は許可されない。また、印刷実行内容に応じて、ログイン中の携帯電話について判断情報が更新されていくとしてもよい。すなわち、１枚印刷する都度、ログイン中の携帯電話について印刷可能枚数を１枚ずつ減算し、印刷可能枚数が０枚になった時点以降においては、これ以上の印刷を許可しないとしてもよい。具体的な例として、ログイン中の携帯電話について、印刷可能枚数が１０枚までの印刷が可能であることを示している場合に、１１枚の印刷実行指示の入力が受け付けられた場合を考える。この場合、１枚印刷する都度、印刷可能枚数が１枚ずつ減算されてゆき、１０枚目が印刷されたときに印刷可能枚数が０枚になる。よって、１１枚目以降の印刷が許可されなくなる。
【００５９】
Ｓ３１８においてＣＰＵ３２は、印刷の実行結果に基づいて、更新情報を生成する。更新情報の生成例としては、印刷を実行した枚数が挙げられる。ＣＰＵ３２は、生成した更新情報を、判断情報およびログイン中の携帯電話の携帯電話ＩＤと対応付けて記憶部３３に記憶する。そしてフローを終了する。
【００６０】
図６を用いて、ＭＦＰ５１で行われる無線ＬＡＮ通信の設定処理を説明する。無線ＬＡＮ通信の設定処理は、図２〜図４の処理とは平行して行なわれる処理である。無線ＬＡＮ通信の設定処理は、ＭＦＰ５１のユーザが、ボタン３８またはパネル３９を介して、無線通信の設定処理を行うことを示す指示入力を行った場合に開始される。Ｓ３３０においてＣＰＵ３２は、無線ＬＡＮ通信の設定入力を受け付けたかを判断する。例えば、設定ボタンがパネル３９に表示されており、当該設定ボタンがタッチされたことに応じて、無線ＬＡＮ通信の設定入力が受け付けられるとしてもよい。無線ＬＡＮ通信の設定入力が受け付けられていない場合（Ｓ３３０：ＮＯ）にはＳ３３０へ戻り、受け付けられた場合（Ｓ３３０：ＹＥＳ）にはＳ３３２へ進む。
【００６１】
Ｓ３３２においてＣＰＵ３２は、無線ＬＡＮ通信を制限する内容の設定が行われたか否かを判断する。無線ＬＡＮ通信を制限する内容の設定が行われた場合（Ｓ３３２：ＹＥＳ）には、Ｓ３３４へ進む。Ｓ３３４においてＣＰＵ３２は、記憶部３３に無線ＬＡＮ制限情報を記憶する。これにより、ＭＦＰ５１とサーバ７１との間の無線ＬＡＮ通信が実行できなくなる。よって、ＭＦＰ５１が無線ＬＡＭ通信を行わない、スタンドアロン状態を実現することができるため、ＭＦＰ５１から送信すべきでない情報が無線ＬＡＮ通信を介して送信されてしまう事態や、ＭＦＰ５１が受信すべきでない情報を無線ＬＡＮ通信を介して受信してしまう事態などの発生を防止することができる。この場合、判断情報をサーバ７１で集中管理するためには、第１携帯電話８〜管理者携帯電話１０を介して各種の通信を実行する必要がある。
【００６２】
一方、Ｓ３３２において、無線ＬＡＮ通信を制限する内容の設定が行われていない場合（Ｓ３３２：ＮＯ）には、Ｓ３３６へ進む。Ｓ３３６においてＣＰＵ３２は、記憶部３３から無線ＬＡＮ制限情報を消去する。これにより、ＭＦＰ５１とサーバ７１との間で、無線ＬＡＮ通信を実行することが可能となる。
【００６３】
＜携帯電話の動作＞
図７を用いて、第１携帯電話８〜管理者携帯電話１０で行われる動作を説明する。本実施形態では、例として、第１携帯電話８で行われる動作を説明する。第１携帯電話８が起動すると、図７のフローが示す処理が開始される。Ｓ４１０においてＣＰＵ１１は、ＮＦＣ通信２０１によるアクセスが行われたか否かを判断する。ＮＦＣ通信２０１によるアクセスが行われていない場合（Ｓ４１０：ＮＯ）にはＳ４１０へ戻り、アクセスが行われた場合（Ｓ４１０：ＹＥＳ）にはＳ４１１へ進む。Ｓ４１１においてＣＰＵ１１は、ＮＦＣ通信の通信先のＭＦＰのＭＦＰ−ＩＤを受信する。
【００６４】
Ｓ４１２においてＣＰＵ１１は、更新情報および更新情報に対応する携帯電話ＩＤを、ＭＦＰから受信したか否かを判断する。受信していない場合（Ｓ４１２：ＮＯ）にはＳ４２２へ進み、受信した場合（Ｓ４１２：ＹＥＳ）にはＳ４１４へ進む。Ｓ４１４においてＣＰＵ１１は、携帯電話返却処理を実行する。携帯電話返却処理の内容については、後述する。
【００６５】
Ｓ４２２においてＣＰＵ１１は、判断情報要求命令情報およびＭＦＰ−ＩＤをＭＦＰから受信したか否かを判断する。受信していない場合（Ｓ４２２：ＮＯ）にはＳ４１０へ戻り、受信した場合（Ｓ４２２：ＹＥＳ）にはＳ４２４へ進む。Ｓ４２４においてＣＰＵ１１は、アクセスポイント６２との間の無線ＬＡＮ通信２１１を確立する。これにより、第１携帯電話８とサーバ７１との間の通信が確立される。Ｓ４２６においてＣＰＵ１１は、判断情報をサーバに要求することを示す、第２判断情報要求命令情報と第１携帯電話ＩＤとＭＦＰ−ＩＤを、サーバ７１に送信する。これにより、サーバ７１に対して、第１携帯電話ＩＤに関する判断情報が要求される。
【００６６】
Ｓ４２８においてＣＰＵ１１は、第１携帯電話ＩＤに関する判断情報をサーバ７１から受信したか否かを判断する。受信した場合（Ｓ４２８：ＹＥＳ）には、Ｓ４３４へ進む。Ｓ４３４においてＣＰＵ１１は、第１携帯電話ＩＤに関する判断情報を、ＮＦＣ通信を用いてＭＦＰへ送信する。そしてＳ４１０へ戻る。一方、Ｓ４２８において、第１携帯電話ＩＤに関する判断情報を受信していない場合（Ｓ４２８：ＮＯ）にはＳ４３０へ進む。Ｓ４３０においてＣＰＵ１１は、タイムアウトが発生したか否かを判断する。タイムアウト発生の判断は、Ｓ４２６で第２判断情報要求命令情報と第１携帯電話ＩＤとＭＦＰ−ＩＤを送信してから、予め定められた所定時間が経過したか否かによって行われても良い。タイムアウトが発生していない場合（Ｓ４３０：ＮＯ）にはＳ４３１へ進み、タイムアウトが発生した場合（Ｓ４３０：ＹＥＳ）にはＳ４１０へ戻る。
【００６７】
Ｓ４３１においてＣＰＵ１１は、第１携帯電話８が、サーバ７１が記憶している判断情報をＭＦＰ５１およびＭＦＰ５２へ中継する携帯電話である登録携帯電話として、サーバ７１に登録されていないことを示す第１エラー情報をサーバ７１から受信したか否かを判断する。受信していない場合（Ｓ４３１：ＮＯ）にはＳ４３２へ進み、受信した場合（Ｓ４３１：ＹＥＳ）にはＳ４１０へ戻る。Ｓ４３２においてＣＰＵ１１は、第１携帯電話８が、ＭＦＰ５１またはＭＦＰ５２にログイン中であるため、新たなログインを認められないことを示す第２エラー情報および、第１携帯電話８がログイン中のＭＦＰを識別するログイン中ＭＦＰ−ＩＤ３０４を、サーバ７１から受信したか否かを判断する。受信していない場合（Ｓ４３２：ＮＯ）にはＳ４２８へ戻り、受信した場合（Ｓ４３２：ＹＥＳ）にはＳ４３３へ進む。Ｓ４３３においてＣＰＵ１１は、ログイン中ＭＦＰ−ＩＤ３０４で識別されるＭＦＰにログイン中であるため、ＮＦＣ通信中のＭＦＰへのログインに失敗したことを、パネル１８に表示する。そしてＳ４１０へ戻る。
【００６８】
図８のフローを用いて、携帯電話返却処理（Ｓ４１４）を説明する。携帯電話返却処理はＳ４１４で開始される。Ｓ５１０においてＣＰＵ１１は、ユーザにＮＦＣ通信状態を維持することを指示する報知を行う。例えば、「携帯電話をＭＦＰにかざしたままにして下さい」という文字列を、パネル１８に表示してもよい。
【００６９】
Ｓ５１２においてＣＰＵ１１は、アクセスポイント６２との間の無線ＬＡＮ通信２１１を確立する。これにより、第１携帯電話８とサーバ７１との間の通信が確立される。Ｓ５１４においてＣＰＵ１１は、Ｓ４１２でＭＦＰ５１から受信した更新情報、更新情報に対応する携帯電話ＩＤ、第１携帯電話ＩＤ、ＭＦＰ−ＩＤを、無線ＬＡＮ通信２１１を用いてサーバ７１に送信する。
【００７０】
Ｓ５１６においてＣＰＵ１１は、更新情報、更新情報に対応する携帯電話ＩＤ、第１携帯電話ＩＤ、ＭＦＰ−ＩＤをサーバ７１が受信したことを示す返却完了情報をサーバ７１から受信したか否かを判断する。受信していない場合（Ｓ５１６：ＮＯ）にはＳ５１８へ進む。Ｓ５１８においてＣＰＵ１１は、タイムアウトが発生したか否かを判断する。タイムアウト発生の判断は、Ｓ５１４で各種の情報をサーバ７１に送信してから、予め定められた所定時間が経過したか否かによって行われても良い。タイムアウトが発生していない場合（Ｓ５１８：ＮＯ）にはＳ５１６へ戻り、タイムアウトが発生した場合（Ｓ５１８：ＹＥＳ）にはＳ５１９へ進む。Ｓ５１９においてＣＰＵ１１は、タイムアウトが発生したことを示すエラー表示をパネル１８に表示する。そしてフローを終了する。
【００７１】
一方、Ｓ５１６において、サーバ７１から返却完了情報を受信した場合（Ｓ５１６：ＹＥＳ）には、Ｓ５２０へ進む。Ｓ５２０においてＣＰＵ１１は、返却完了情報を、ＮＦＣ通信２０１を用いてＭＦＰに送信する。Ｓ５２２においてＣＰＵ１１は、ＭＦＰからログアウト完了情報を受信したか否かを判断する。受信していない場合（Ｓ５２２：ＮＯ）にはＳ５２４へ進む。Ｓ５２４においてＣＰＵ１１は、タイムアウトが発生したか否かを判断する。タイムアウト発生の判断は、Ｓ５２０で返却完了情報をＭＦＰに通知してから、予め定められた所定時間が経過したか否かによって行われても良い。タイムアウトが発生していない場合（Ｓ５２４：ＮＯ）にはＳ５２２へ戻り、タイムアウトが発生した場合（Ｓ５２４：ＹＥＳ）にはＳ５２６へ進む。Ｓ５２６においてＣＰＵ１１は、タイムアウトが発生したことを示すエラー表示をパネル１８に表示する。そしてフローを終了する。
【００７２】
一方、Ｓ５２２において、ＭＦＰからログアウト完了情報を受信した場合（Ｓ５２２：ＹＥＳ）には、Ｓ５２８へ進む。Ｓ５２８においてＣＰＵ１１は、Ｓ５１０で表示した文字列を、パネル１８から消去する。そしてフローを終了する。
【００７３】
なお、第２携帯電話９で行われる図７および図８の処理は、上述した第１携帯電話８で行われる図７および図８の処理と同様である。よって説明を省略する。
【００７４】
図９を用いて、管理者携帯電話１０で行われる動作を説明する。管理者携帯電話１０が起動すると、図９のフローが示す処理が開始される。Ｓ５４０において、管理者携帯電話１０のＣＰＵは、無線ＬＡＮ通信２１３によるアクセスが行われたか否かを判断する。無線ＬＡＮ通信２１３によるアクセスが行われていない場合（Ｓ５４０：ＮＯ）にはＳ５４０へ戻り、アクセスが行われた場合（Ｓ５４０：ＹＥＳ）にはＳ５４２へ進む。Ｓ５４２において、管理者携帯電話１０のＣＰＵは、携帯電話ＩＤとログイン中ＭＦＰ−ＩＤ３０４を、サーバ７１から受信する。また、携帯電話ＩＤで特定される携帯電話が、ログイン中ＭＦＰ−ＩＤ３０４で特定されるＭＦＰにログイン状態のまま放置されていることが、管理者携帯電話１０のパネルに表示される。
【００７５】
Ｓ５４４において、管理者携帯電話１０のＣＰＵは、携帯電話ＩＤで特定される携帯電話に代理して、ログアウトを代行する指示の入力を受け付けたか否かを判断する。例えば、ログアウト代行ボタンがパネルに表示されており、当該ログアウト代行ボタンが管理者にタッチされたことに応じて、ログアウト代行の指示の入力が受け付けられるとしてもよい。ログアウト代行の指示が受け付けられた場合（Ｓ５４４：ＹＥＳ）には、Ｓ５４６へ進み、ログアウトを代行するために、サーバ７１から受信したＭＦＰ−ＩＤ３０４が示すＭＦＰと管理者携帯電話１０との間でＮＦＣ通信を開始させることを示唆する文字列をパネル３９に表示する。具体的には、「ＭＦＰ○○にかざして、○○さんのログアウトをしてください」などの文字列をパネル３９に出力する。この文字列を見た管理者が、管理者携帯電話１０をＭＦＰにかざすと、サーバ７１から受信した携帯電話ＩＤで特定される携帯電話のログアウトが実行される。一方、ログアウト代行の指示が受け付けられていない場合（Ｓ５４４：ＮＯ）には、フローを終了する。
【００７６】
＜サーバの動作＞
図１０を用いて、サーバ７１で行われる動作を説明する。サーバ７１が起動すると、図１０のフローが示す処理が開始される。Ｓ６１０においてＣＰＵ７２は、第２判断情報要求命令情報と携帯電話ＩＤとＭＦＰ−ＩＤを受信したか否かを判断する。第２判断情報要求命令情報と携帯電話ＩＤとＭＦＰ−ＩＤを受信した場合（Ｓ６１０：ＹＥＳ）には、判断情報の取得要求が行われたと判断され、Ｓ６１２へ進む。
【００７７】
Ｓ６１２においてＣＰＵ７２は、受信した携帯電話ＩＤが、管理テーブル７７に記憶されている登録携帯電話ＩＤ３０１に含まれているＩＤであるか否かを判断する。記憶されている場合（Ｓ６１２：ＹＥＳ）にはＳ６１６へ進み、記憶されていない場合（Ｓ６１２：ＮＯ）にはＳ６１４へ進む。受信した携帯電話ＩＤが、管理テーブル７７に記憶されている登録携帯電話ＩＤ３０１に含まれていないということは、携帯電話ＩＤに対応する携帯電話が、サーバ７１が記憶している判断情報をＭＦＰ５１およびＭＦＰ５２へ中継する携帯電話である登録携帯電話として、サーバ７１に登録されていないことを示す。Ｓ６１４においてＣＰＵ７２は、第１エラー情報を無線ＬＡＮ通信先の携帯電話へ送信する。そしてＳ６１０へ戻る。
【００７８】
Ｓ６１６においてＣＰＵ７２は、管理テーブル７７において、Ｓ６１０で受信した携帯電話ＩＤに対応するログイン中フラグ３０３が「オン」であるか否かを判断する。ログイン中フラグ３０３が「オン」である場合（Ｓ６１６：ＹＥＳ）には、判断情報の取得要求をしてきた携帯電話が、他のＭＦＰにログイン中であると判断され、Ｓ６１８へ進む。Ｓ６１８においてＣＰＵ７２は、Ｓ６１０で受信した携帯電話ＩＤに対応するログイン中ＭＦＰ−ＩＤ３０４と、Ｓ６１０で受信した携帯電話ＩＤに対応する携帯電話が、ＭＦＰ５１またはＭＦＰ５２にログイン中であるため、新たなログインを認められたいことを示す第２エラー情報とを、無線ＬＡＮ通信先の携帯電話へ送信する。Ｓ６２０においてＣＰＵ７２は、Ｓ６１０で受信した携帯電話ＩＤと、Ｓ６１０で受信した携帯電話ＩＤに対応するログイン中ＭＦＰ−ＩＤ３０４とを、管理者携帯電話１０に送信する。そしてＳ６１０へ戻る。
【００７９】
一方、Ｓ６１６において、Ｓ６１０で受信した携帯電話ＩＤに対応するログイン中フラグ３０３が「オン」ではない場合（Ｓ６１６：ＮＯ）には、Ｓ６３０へ進む。Ｓ６３０においてＣＰＵ７２は、Ｓ６１０で受信した携帯電話ＩＤに対応する判断情報３０２を、管理テーブル７７から読み出して、判断情報の取得要求を送信してきた携帯電話へ送信する。Ｓ６３２においてＣＰＵ７２は、管理テーブル７７において、Ｓ６１０で受信した携帯電話ＩＤに対応するログイン中フラグ３０３を「オン」にするとともに、Ｓ６１０で受信したＭＦＰ−ＩＤをログイン中ＭＦＰ−ＩＤ３０４としてＳ６１０で受信した携帯電話ＩＤと対応付けて記憶させる。Ｓ６３４においてＣＰＵ７２は、Ｓ６１０で受信した携帯電話ＩＤとＭＦＰ−ＩＤを、管理者携帯電話１０に送信する。これにより、何れのＭＦＰに何れの携帯電話がログインしたかについての情報が、管理者に通知される。
【００８０】
一方、Ｓ６１０において、携帯電話ＩＤとＭＦＰ−ＩＤを受信していない場合（Ｓ６１０：ＮＯ）には、Ｓ６４０へ進む。Ｓ６４０においてＣＰＵ７２は、更新情報、更新情報に対応する携帯電話ＩＤ、通信先の携帯電話の携帯電話ＩＤ、ＭＦＰ−ＩＤを受信したか否かを判断する。受信していない場合（Ｓ６４０：ＮＯ）にはＳ６１０へ戻り、受信した場合（Ｓ６４０：ＹＥＳ）にはＳ６４２へ進む。
【００８１】
Ｓ６４２においてＣＰＵ７２は、Ｓ６４０で受信した、更新情報に対応する携帯電話ＩＤに対応する登録携帯電話ＩＤ３０１を、管理テーブル７７上で検索する。そして、検索した登録携帯電話ＩＤ３０１に対応している判断情報３０２を、Ｓ６４０で受信した更新情報を用いて更新する。Ｓ６４４においてＣＰＵ７２は、検索した登録携帯電話ＩＤ３０１に対応しているログイン中フラグ３０３を「オフ」に設定する。すなわち、携帯電話から受信する更新情報と、携帯電話ＩＤと、ＭＦＰ−ＩＤとが、携帯電話ＩＤに対応する携帯電話がＭＦＰからログアウトしたことを示す情報を兼ねていることになる。Ｓ６４６においてＣＰＵ７２は、返却完了情報を、携帯電話へ返信する。そしてＳ６１０へ戻る。
【００８２】
＜印刷システムの第１動作例＞
印刷システム１の第１動作例を、図１４および図１５のシーケンス図を用いて説明する。第１動作例では、第１携帯電話８のユーザであるユーザＡが、ＭＦＰ５１にログインして印刷を実行してから、ログアウトするまでの一連の動作を説明する。例として、記憶部３３に無線ＬＡＮ制限情報が記憶されており、無線ＬＡＮ通信が実行できない状態とされている場合を説明する。また例として、図１１に示す状態の管理テーブル７７がサーバ７１に記憶されている場合を説明する。また例として、第１携帯電話８が、ユーザＡの所有する携帯電話である場合を説明する。また例として、記憶部３３に、更新情報が全く記憶されていない場合を説明する。
【００８３】
期間Ｔ１の動作を説明する。期間Ｔ１は、第１携帯電話８がＭＦＰ５１にログインするまでの期間である。ユーザＡが第１携帯電話８をＭＦＰ５１にかざすと、第１携帯電話８によってＮＦＣ通信２０１によるアクセスが行われる（Ｓ４１０：ＹＥＳ）。ＭＦＰ５１は、ＮＦＣ通信２０１によるアクセスが行われたため（Ｓ１１２：ＹＥＳ）、ＮＦＣ通信の通信先の第１携帯電話８の第１携帯電話ＩＤを受信する（Ｓ１１３）。ＮＦＣ通信の通信先の第１携帯電話８が管理者携帯電話１０ではなく（Ｓ１１４：ＮＯ）、第１携帯電話８がＭＦＰ５１にログイン中ではなく（Ｓ１２０：ＮＯ）、更新情報が全く記憶部３３に記憶されておらず（Ｓ１３０：ＮＯ）、無線ＬＡＮ通信が制限されている（Ｓ１３３：ＹＥＳ）状態である。よってＭＦＰ５１は、判断情報要求命令情報とＭＦＰ−ＩＤ５１ａを第１携帯電話８へ送信する（Ｓ１３４）。
【００８４】
第１携帯電話８は、判断情報要求命令情報とＭＦＰ−ＩＤ５１ａをＭＦＰ５１から受信すると（Ｓ４２２：ＹＥＳ）、アクセスポイント６２との間の無線ＬＡＮ通信２１１を確立する（Ｓ４２４）。第１携帯電話８は、第２判断情報要求命令情報と第１携帯電話ＩＤとＭＦＰ−ＩＤ５１ａを、サーバ７１に送信する（Ｓ４２６）。
【００８５】
サーバ７１は、第２判断情報要求命令情報と第１携帯電話ＩＤとＭＦＰ−ＩＤ５１ａを第１携帯電話８から受信する（Ｓ６１０：ＹＥＳ）。受信した第１携帯電話ＩＤが、管理テーブル７７（図１１を参照）に記憶されている登録携帯電話ＩＤ３０１に含まれているため（Ｓ６１２：ＹＥＳ）、第１携帯電話８がサーバ７１による集中管理の対象であると判断される。第１携帯電話ＩＤに対応するログイン中フラグ３０３が「オフ」であるため（Ｓ６１６：ＮＯ）（図１１、領域Ｒ１を参照）、第１携帯電話８が何れのＭＦＰにもログインしていない状態であると判断される。第１携帯電話８に対応する判断情報３０２が管理テーブル７７から読み出され（図１１、領域Ｒ２を参照）、第１携帯電話８に送信される（Ｓ６３０）。サーバ７１は、管理テーブル７７において、第１携帯電話ＩＤに対応するログイン中フラグ３０３を「オン」にするとともに（図１２、領域Ｒ３を参照）、Ｓ６１０で受信したＭＦＰ−ＩＤ５１ａを、ログイン中ＭＦＰ−ＩＤ３０４として記憶させる（図１２、領域Ｒ４を参照）（Ｓ６３２）。
【００８６】
第１携帯電話８は、第１携帯電話ＩＤに関する判断情報をサーバ７１から受信すると（Ｓ４２８：ＹＥＳ）、第１携帯電話ＩＤに関する判断情報および第１携帯電話ＩＤをＭＦＰ５１へ送信する（Ｓ４３４）。
【００８７】
ＭＦＰ５１は、第１携帯電話８に関する判断情報を第１携帯電話８から受信すると（Ｓ１３６：ＹＥＳ）、受信した判断情報を第１携帯電話ＩＤと対応付けて記憶部３３に記憶させる（Ｓ１４２）。ＭＦＰ５１は、第１携帯電話８がＭＦＰ５１へログインすることが成功したこと、および、印刷処理を実行した後にログアウトする必要があることを、パネル３９に表示する（Ｓ１４４）。ＭＦＰ５１は、第１携帯電話ＩＤに対応付けて、ログインフラグを記憶部３３に記憶させる（Ｓ１４６）。
【００８８】
期間Ｔ２の動作を説明する。期間Ｔ２は、ＭＦＰ５１で印刷を実行する期間である。ユーザＡがボタン入力部３８を操作して印刷命令情報を入力すると（Ｓ３１０：ＹＥＳ）、ＭＦＰ５１は印刷を許可できるか否かを判断する（Ｓ３１２）。第１携帯電話８に関する判断情報は、「印刷枚数制限：１００枚、印刷用紙制限：Ａ３サイズ２０枚まで、印刷カラー制限：カラー印刷１０枚まで」である。また、更新情報はまだ記憶されていない。よって、ユーザＡの印刷が許可され（Ｓ３１２：ＹＥＳ）、印刷が実行される（Ｓ３１６）。
【００８９】
Ｓ３１６の印刷実行中の期間では、印刷実行内容に応じて、記憶部３３に記憶されている判断情報が更新されていく。例えば、ユーザＡがカラー印刷を実行するたびに、判断情報の印刷カラー制限の枚数が、１枚ずつ減少していく。そして、ユーザＡが１０枚のカラー印刷を完了した時点で、判断情報の印刷カラー制限が、「カラー印刷禁止」に更新される。この場合、ユーザＡはこれ以上カラー印刷をすることができない。また例えば、ユーザＡがＡ３サイズの印刷を実行するたびに、判断情報の印刷用紙制限の枚数が、１枚ずつ減少していく。そして、ユーザＡが２０枚のＡ３サイズの印刷を完了した時点で、判断情報の印刷用紙制限が、「Ａ３サイズ印刷禁止」に更新される。この場合、ユーザＡはこれ以上Ａ３サイズの印刷をすることができないため、印刷を続行するためには、他のサイズ（例：Ａ４サイズなど）の印刷に切り替える必要がある。
【００９０】
印刷が終了すると、ＭＦＰ５１は、更新情報を生成する（Ｓ３１８）。例えば、ユーザＡがＡ３サイズのカラー印刷を５枚実行した場合には、「印刷枚数＝５枚、用紙サイズ＝Ａ３、印刷カラー＝カラー」の内容の更新情報が生成される。生成された更新情報は、第１携帯電話８の判断情報および第１携帯電話ＩＤと対応付けられて、記憶部３３に記憶される。
【００９１】
図１５を用いて、期間Ｔ３の動作を説明する。期間Ｔ３は、第１携帯電話がＭＦＰ５１からログアウトするまでの期間である。ユーザＡが第１携帯電話８をＭＦＰ５１にかざすと、第１携帯電話８によって、ＮＦＣ通信２０１によるアクセスが行われる（Ｓ４１０：ＹＥＳ）。ＭＦＰ５１は、ＮＦＣ通信２０１によるアクセスが行われたため（Ｓ１１２：ＹＥＳ）、ＮＦＣ通信の通信先の第１携帯電話８の第１携帯電話ＩＤを受信する（Ｓ１１３）。第１携帯電話８がＭＦＰ５１にログイン中であり（Ｓ１２０：ＹＥＳ）、ユーザＡがログアウトボタンをタッチしており（Ｓ１２２：ＹＥＳ）、ＮＦＣ通信の通信先の第１携帯電話８についての更新情報が記憶部３３に記憶されている（Ｓ１２４：ＹＥＳ）、状態である。よってＭＦＰ５１は、ＭＦＰ返却処理を実行する（Ｓ１２６）。
【００９２】
無線ＬＡＮ通信が制限されているため（Ｓ２０８：ＹＥＳ）、ＭＦＰ５１は、記憶部３３に記憶されている更新情報と、更新情報に対応する第１携帯電話ＩＤを、第１携帯電話８へ送信する（Ｓ２１０）。ＭＦＰ５１は、「携帯電話をＭＦＰにかざしたままにして下さい」という文字列を、パネル３９に表示する（Ｓ２１２）。
【００９３】
第１携帯電話８は、更新情報および更新情報に対応する第１携帯電話ＩＤをＭＦＰ５１から受信すると（Ｓ４１２：ＹＥＳ）、携帯電話返却処理を実行する（Ｓ４１４）。第１携帯電話８は、「携帯電話をＭＦＰにかざしたままにして下さい」という文字列をパネル１８に表示し（Ｓ５１０）、サーバ７１との間の通信を確立する（Ｓ５１２）。第１携帯電話８は、更新情報、更新情報に対応する第１携帯電話ＩＤ、通信先の携帯電話の第１携帯電話ＩＤ、ＭＦＰ−ＩＤ５１ａを、サーバ７１に送信する（Ｓ５１４）。
【００９４】
サーバ７１は、更新情報、更新情報に対応する第１携帯電話ＩＤ、通信先の第１携帯電話８の第１携帯電話ＩＤ、ＭＦＰ−ＩＤ５１ａを第１携帯電話８から受信すると（Ｓ６４０：ＹＥＳ）、更新情報に対応する第１携帯電話８の判断情報３０２を、受信した更新情報を用いて更新する（Ｓ６４２）。例えば、更新情報が「印刷枚数＝５枚、用紙サイズ＝Ａ３、印刷カラー＝カラー」である場合には、第１携帯電話８の判断情報は、「印刷枚数制限：９５枚、印刷用紙制限：Ａ３サイズ１５枚まで、印刷カラー制限：カラー印刷５枚まで」に更新される（図１３、領域Ｒ５を参照）。サーバ７１は、第１携帯電話８に対応しているログイン中フラグ３０３を「オフ」に設定する（Ｓ６４４）（図１３、領域Ｒ６を参照）。サーバ７１は、返却完了情報を第１携帯電話８へ返信する（Ｓ６４６）。
【００９５】
第１携帯電話８は、サーバ７１から返却完了情報を受信すると（Ｓ５１６：ＹＥＳ）、返却完了情報をＭＦＰ５１に送信する（Ｓ５２０）。ＭＦＰ５１は、返却完了情報を受信すると（Ｓ２１４：ＹＥＳ）、「携帯電話をＭＦＰにかざしたままにして下さい」という文字列を、パネル３９から消去する（Ｓ２２０）。ＭＦＰ５１は、第１携帯電話８の更新情報および第１携帯電話ＩＤを、記憶部３３から消去する（Ｓ２２４）。ＭＦＰ５１は、第１携帯電話８の判断情報とログインフラグを、記憶部３３から消去する（Ｓ２２６）。ＭＦＰ５１は、ログアウトが完了したことを報知するログアウト完了情報を、第１携帯電話８へ送信する（Ｓ２２８）。
【００９６】
第１携帯電話８は、ＭＦＰ５１からログアウト完了情報を受信すると（Ｓ５２２：ＹＥＳ）、「携帯電話をＭＦＰにかざしたままにして下さい」という文字列をパネル１８から消去する（Ｓ５２８）。
【００９７】
＜印刷システムの第２動作例＞
印刷システム１の第２動作例を、図１６のシーケンス図を用いて説明する。第２動作例では、第１携帯電話８のユーザであるユーザＡが、第２携帯電話９のユーザであるユーザＢの更新情報をサーバ７１に送信する動作を説明する。また例として、第２携帯電話ＩＤと対応づけられた更新情報が、記憶部３３に記憶されている場合を説明する。すなわち、ユーザＢが第２携帯電話９を用いてＭＦＰ５１へログインして印刷を実行したが、ログアウトの実行を忘れてしまった場合を説明する。
【００９８】
ユーザＡが第１携帯電話８をＭＦＰ５１にかざすと、ＮＦＣ通信２０１によるアクセスが行われる（Ｓ４１０：ＹＥＳ）。ＭＦＰ５１は、ＮＦＣ通信２０１によるアクセスが行われたため（Ｓ１１２：ＹＥＳ）、ＮＦＣ通信の通信先の第１携帯電話８の第１携帯電話ＩＤを受信する（Ｓ１１３）。ユーザＢの更新情報である、第２携帯電話ＩＤと対応づけられた更新情報が記憶部３３に記憶されている（Ｓ１３０：ＹＥＳ）。よってＭＦＰ５１は、ＭＦＰ返却処理を実行する（Ｓ１３２）。
【００９９】
ユーザＢの更新情報に対して行われる、ＭＦＰ返却処理の内容を説明する。ＭＦＰ５１は、ユーザＢの更新情報と、更新情報に対応する第２携帯電話ＩＤを、第１携帯電話８へ送信する（Ｓ２１０）。第１携帯電話８は、ユーザＢの更新情報および更新情報に対応する第２携帯電話ＩＤをＭＦＰ５１から受信すると（Ｓ４１２：ＹＥＳ）、文字列をパネル１８に表示し（Ｓ５１０）、アクセスポイント６２との間の無線ＬＡＮ通信２１１を確立する（Ｓ５１２）。第１携帯電話８は、ユーザＢの更新情報、更新情報に対応する第２携帯電話ＩＤ、通信先の第１携帯電話８の第１携帯電話ＩＤ、ＭＦＰ−ＩＤ５１ａを、サーバ７１に送信する（Ｓ５１４）。サーバ７１は、ユーザＢの更新情報、第２携帯電話ＩＤ、第１携帯電話ＩＤ、ＭＦＰ−ＩＤ５１ａを、第１携帯電話８から受信すると（Ｓ６４０：ＹＥＳ）、第２携帯電話９に対応する判断情報３０２を、ユーザＢの更新情報を用いて更新する（Ｓ６４２）。なお、ユーザＢの更新情報に対して行われるＭＦＰ返却処理の、以後の処理内容は、上述した第１動作例の図１５のシーケンス図における、領域Ｒ１１の処理内容と同様である。よって説明を省略する。
【０１００】
ＭＦＰ返却処理（Ｓ１３２）が終了すると、第１携帯電話８のＭＦＰ５１へのログイン処理が行われる。第１携帯電話８のログイン処理の内容を説明する。ＭＦＰ５１は、判断情報要求命令情報とＭＦＰ−ＩＤ５１ａを第１携帯電話８へ送信する（Ｓ１３４）。第１携帯電話８は、判断情報要求命令情報とＭＦＰ−ＩＤ５１ａをＭＦＰ５１から受信すると（Ｓ４２２：ＹＥＳ）、アクセスポイント６２との間の無線ＬＡＮ通信２１１を確立する（Ｓ４２４）。第１携帯電話８は、第２判断情報要求命令情報と第１携帯電話ＩＤとＭＦＰ−ＩＤ５１ａを、サーバ７１に送信する（Ｓ４２６）。サーバ７１は、第２判断情報要求命令情報と第１携帯電話ＩＤとＭＦＰ−ＩＤ５１ａを第１携帯電話８から受信する（Ｓ６１０：ＹＥＳ）。なお、第１携帯電話８のログイン処理の以後の処理内容は、上述した第１動作例の図１４のシーケンス図における、領域Ｒ１２の処理内容と同様である。よって説明を省略する。
【０１０１】
これにより、ユーザＡが第１携帯電話８を用いてＭＦＰ５１とのＮＦＣ通信２０１を開始した場合に、第１携帯電話８が第２携帯電話９に代理して、第２携帯電話９に対応する更新情報（ユーザＢの更新情報）をサーバ７１へ送信することができる。これにより、ユーザＢの更新情報がサーバ７１へ未送信のまま、記憶部３３に記憶された状態で放置されてしまう事態を防止することができる。
【０１０２】
＜印刷システムの第３動作例＞
印刷システム１の第３動作例を、図１７のシーケンス図を用いて説明する。第３動作例では、管理者携帯電話１０のユーザである管理者が、第１携帯電話８のユーザであるユーザＡの更新情報を、サーバ７１に送信する動作を説明する。例として、第１携帯電話８がＭＦＰ５１にログインしている期間中に、第１携帯電話８をＭＦＰ５２にログインさせようとする場合の動作を説明する。また例として、第１携帯電話ＩＤと対応づけられた更新情報が、ＭＦＰ５１の記憶部３３に記憶されている場合を説明する。すなわち、ユーザＡが第１携帯電話８を用いてＭＦＰ５１へログインして印刷を実行したが、ログアウトの実行を忘れてしまっている場合に、ユーザＡが第１携帯電話８を用いてＭＦＰ５２にログインしようとしている場合を説明する。
【０１０３】
ユーザＡが第１携帯電話８をＭＦＰ５２にかざすと、ＮＦＣ通信によるアクセスが行われる（Ｓ４１０：ＹＥＳ）。ＭＦＰ５２は、ＮＦＣ通信の通信先の第１携帯電話８の第１携帯電話ＩＤを受信する（Ｓ１１３）。ＭＦＰ５２は、判断情報要求命令情報とＭＦＰ５２のＭＦＰ−ＩＤ５２ａを第１携帯電話８へ送信する（Ｓ１３４）。第１携帯電話８は、判断情報要求命令情報とＭＦＰ−ＩＤ５２ａをＭＦＰ５２から受信すると（Ｓ４２２：ＹＥＳ）、第２判断情報要求命令情報と第１携帯電話ＩＤとＭＦＰ−ＩＤ５２ａをサーバ７１に送信する（Ｓ４２６）。
【０１０４】
サーバ７１は、第１携帯電話ＩＤとＭＦＰ−ＩＤ５２ａを第１携帯電話８から受信する（Ｓ６１０：ＹＥＳ）。第１携帯電話ＩＤに対応するログイン中フラグ３０３が「オン」であり（Ｓ６１６：ＹＥＳ）、第１携帯電話ＩＤに対応するログイン中ＭＦＰ−ＩＤ３０４が「ＭＦＰ５１のＭＦＰ−ＩＤ５１ａ」であるため、第１携帯電話８がＭＦＰ５１にログイン中であると判断される。サーバ７１は、ログイン中ＭＦＰ−ＩＤ３０４＝「ＭＦＰ５１のＭＦＰ−ＩＤ５１ａ」と、第２エラー情報とを、第１携帯電話８へ送信する（Ｓ６１８）。またサーバ７１は、第１携帯電話ＩＤと、ログイン中ＭＦＰ−ＩＤ３０４＝「ＭＦＰ５１のＭＦＰ−ＩＤ５１ａ」を、管理者携帯電話１０に送信する（Ｓ６２０）。
【０１０５】
第１携帯電話８は、第２エラー情報とログイン中ＭＦＰ−ＩＤ３０４を受信する（Ｓ４３２：ＹＥＳ）。第１携帯電話８は、「ＭＦＰ５１にログイン中であるため、ＭＦＰ５２へのログインに失敗しました」の内容を、パネル１８に表示する（Ｓ４３３）。
【０１０６】
管理者携帯電話１０には、無線ＬＡＮ通信２１３によるアクセスが行われる（Ｓ５４０：ＹＥＳ）。管理者携帯電話１０は、第１携帯電話ＩＤと、ログイン中ＭＦＰ−ＩＤ３０４＝「ＭＦＰ５１のＭＦＰ−ＩＤ５１ａ」を、サーバ７１から受信する（Ｓ５４２）。また、管理者携帯電話１０のパネルには、第１携帯電話８がＭＦＰ５１にログインした状態のまま放置されていることが表示される。管理者がログアウト代行の指示を入力し（Ｓ５４４：ＹＥＳ）、管理者携帯電話１０をＭＦＰ５１にかざすと、携帯電話返却処理が実行される（Ｓ５４６）。携帯電話返却処理の内容は、前述した第１動作例における期間Ｔ３の処理内容と同様であるため、説明を省略する。
【０１０７】
これにより、第１携帯電話８のＭＦＰ５１からのログアウトを、第１携帯電話８に代行して、管理者携帯電話１０によって実行することができる。よって、ユーザＡが第１携帯電話８を用いてＭＦＰ５２にログインすることが可能となる。
【０１０８】
＜効果＞
以上説明した、本実施形態の説明例に係る印刷システム１の効果を説明する。本明細書に開示されているＭＦＰ５１では、無線ＬＡＮ通信を制限する内容の設定が行われている場合（Ｓ３３２：ＹＥＳ）には、通信手段がＮＦＣ送受信部３６のみになる。そして、ＮＦＣ送受信部３６で実行されるＮＦＣ通信では、アクセスポイント６２と直接に通信を実行することができない。これにより、ＭＦＰ５１や５２をアクセスポイント６２に直接接続されていない状態にすることができるため、通信上のセキュリティを確保することができる。また、第１携帯電話８〜管理者携帯電話１０で実行される、ＮＦＣ通信２０１〜２０３および無線ＬＡＮ通信２１１〜２１３を用いて、サーバ７１とＭＦＰ５１および５２との間での判断情報の通信を中継することができる。これによりＭＦＰ５１および５２は、サーバ７１が記憶している判断情報に基づいて、印刷処理を実行することが可能となる（Ｓ３１６）。よって、ＭＦＰ５１および５２の通信上のセキュリティを確保しながら、ＭＦＰ５１および５２での印刷処理をサーバ７１で制御することが可能となる。
【０１０９】
第１携帯電話８〜管理者携帯電話１０で実行される、ＮＦＣ通信２０１〜２０３および無線ＬＡＮ通信２１１〜２１３を用いて、サーバ７１とＭＦＰ５１および５２との間での更新情報の通信を中継することができる。これにより、サーバ７１で管理している判断情報を、印刷処理の結果に基づいて更新することが可能となる（Ｓ６４２）。
【０１１０】
ＭＦＰ５１および５２とアクセスポイント６２との間の無線ＬＡＮ通信を、制限するか否かを設定することができる（Ｓ３３２）。これにより、アクセスポイント６２との間の無線ＬＡＮ通信が制限されたＭＦＰ５１および５２で行われる印刷処理を、サーバ７１が記憶する判断情報によって制御することが可能となる。
【０１１１】
ＭＦＰ５１または５２に対して第１携帯電話８〜管理者携帯電話１０を近接させるだけという簡易な操作によって、近接させた携帯電話を通信対象として選択することができる（Ｓ１１２、Ｓ４１０）。すなわちＮＦＣ通信方式を用いて、ＭＦＰ５１および５２のうちから、通信対象のＭＦＰを直感的に選択することが可能となる。
【０１１２】
第１携帯電話８〜管理者携帯電話１０を用いて、サーバ７１とＭＦＰ５１および５２との間での判断情報の通信を中継することができる。これにより、ＮＦＣ通信２０１〜２０３の通信可能距離の範囲外にサーバ７１が存在している場合においても、サーバ７１が記憶している判断情報に基づいて、ＭＦＰ５１およびＭＦＰ５２での画像データ処理を制御することが可能となる。
【０１１３】
ＭＦＰにログイン中の携帯電話がＮＦＣ通信を開始したことに起因して（Ｓ１２０：ＹＥＳ）、記憶部３３に記憶されていた更新情報をサーバ７１へ送信することができる（Ｓ１２６）。よって、更新情報をサーバ７１へ送信するための操作をボタン入力部３８などに入力する必要を無くすことができるため、ユーザの利便性を高めることができる。
【０１１４】
ＭＦＰ５１がサーバ７１から第１携帯電話８〜管理者携帯電話１０の中継によって判断情報を受信して画像データ処理を実行した後、ＭＦＰ５１がサーバ７１へ第１携帯電話８〜管理者携帯電話１０の中継によって更新情報を送信する前に、ＭＦＰ５１と第１携帯電話８〜管理者携帯電話１０との間のＮＦＣ通信２０１〜２０３ができない状態になる場合がある。この場合においても、ＮＦＣ通信２０１〜２０３がその後に再開されることに起因して、ＭＦＰ５１の記憶部３３に記憶されていた更新情報を、第１携帯電話８〜管理者携帯電話１０の中継によってサーバ７１へ送信することができる。よって、更新情報がサーバ７１へ未送信のまま、記憶部３３に記憶された状態で放置されてしまう事態を防止することができる。
【０１１５】
携帯電話のＭＦＰへのログインが成功すると、印刷処理を実行した後にログアウトする必要があることを、ＭＦＰのパネル３９に表示することができる（Ｓ１４４）。これにより、ユーザに、ＭＦＰが画像データ処理を実行したときに、更新情報の送信が完了するまで、ＮＦＣ通信２０１〜２０３が可能な状態に維持する必要があることを意識させることができる。また、更新情報の送信前にＮＦＣ通信２０１〜２０３による通信ができない状態に一旦なったとしても、後ほどＮＦＣ通信２０１〜２０３を再度確立すればよいことを意識させることができる。よって、更新情報がサーバ７１へ未送信のまま、記憶部３３に記憶された状態で放置されてしまう事態を防止することができる。
【０１１６】
判断情報の送信元である携帯電話とは異なる他の携帯電話がＭＦＰとのＮＦＣ通信を開始した場合に、他の携帯電話が、判断情報の送信元の携帯電話に代理して、記憶部に記憶されている更新情報をサーバ７１へ送信することができる。これにより、更新情報がサーバ７１へ未送信のまま、ＭＦＰの記憶部に記憶された状態で放置されてしまう事態を防止することができる。
【０１１７】
管理者携帯電話１０以外の携帯電話（例：第１携帯電話８、第２携帯電話９）に関連する更新情報がＭＦＰの記憶部に記憶されている場合に（Ｓ１１６：ＹＥＳ）、管理者携帯電話１０を用いて、これらの更新情報をサーバ７１へ送信することができる。これにより、実行結果情報がサーバ７１へ未送信のまま、ＭＦＰの記憶部に記憶された状態で放置されてしまう事態を防止することができる。
【０１１８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【０１１９】
＜変形例＞
サーバ７１が、ＭＦＰから受信した更新情報を用いて判断情報を更新する（Ｓ６４２）形態を説明したが、この形態に限らない。ＭＦＰが、印刷実行内容に応じて判断情報を更新することで（Ｓ３１６）、更新済判断情報を生成するとしてもよい（Ｓ３１８）。具体的には、判断情報が１０枚までの印刷が可能であることを示しており、５枚の印刷を許可し、５枚の印刷が終わった場合には、Ｓ３１８において、ＣＰＵ３２が、判断情報から５枚を減算し、５枚までの印刷が可能であることを示す判断情報である更新済判断情報を生成してもよい。そしてＭＦＰは、更新情報に代えて、更新済判断情報を送信するとしてもよい（Ｓ２１０）。サーバ７１は、更新情報を用いて判断情報を更新する処理（Ｓ６４２）に変えて、管理テーブル７７に記憶されている判断情報に、更新済判断情報を上書き記憶させる処理を実行してもよい。これにより、サーバ７１における更新処理の負担を減少させることができる。また、携帯電話が、ＭＦＰから受信した更新情報を用いて判断情報を更新することで、更新済判断情報を生成してもよい。そして、携帯電話は、更新情報に代えて、更新済判断情報を送信するとしてもよい（Ｓ５１４）。そして、サーバ７１は、更新情報を用いて判断情報を更新する処理（Ｓ６４２）に変えて、管理テーブル７７に記憶されている判断情報に、更新済判断情報を上書き記憶させる処理を実行してもよい。これにより、サーバ７１における更新処理の負担を減少させることができる。
【０１２０】
本実施形態では、ＭＦＰ５１にログインできる携帯電話が１台に制限される場合を説明したが、この形態に限られず、ＭＦＰ５１に同時に複数台の携帯電話がログインできる態様としてもよい。このような制御を行う場合には、図２のフローにおいて、Ｓ１２８およびＳ１２９を省略すればよい。
【０１２１】
ＭＦＰに記憶されている第１携帯電話８に関する更新情報は、第１携帯電話８を用いる場合にのみ、サーバ７１へ送信することができるとしてもよい。同様に、ＭＦＰに記憶されている第２携帯電話９に関する更新情報は、第２携帯電話９を用いる場合にのみ、サーバ７１へ送信することができるとしてもよい。このような制御を行う場合には、図３のフローにおいて、Ｓ１３０およびＳ１３２を省略すればよい。
【０１２２】
ＮＦＣ送受信部３６で実行されるＮＦＣ通信が、認証情報を使用しない通信である場合を説明したが、この形態に限られない。ＰＩＮコードなどの認証情報を使用するＮＦＣ通信が用いられても良い。
【０１２３】
Ｓ１４４で行われる、ログイン成功したことおよびログアウトする必要があることについての報知動作は、何れのタイミングで行っても良い。例えば、判断情報要求命令情報を送信する段階（Ｓ１３４）の直前や直後でもよいし、判断情報を記憶部３３に記憶させる段階（Ｓ１４２）の直前や直後でもよい。また、Ｓ１４４で行われる、ログイン成功したことおよびログアウトする必要があることについての報知動作は、ＭＦＰのパネルへ文字列を表示する態様に限られない。音を鳴らすなどの形態であってもよい。また、ＮＦＣ通信の通信先の携帯電話に文字列を表示させるための命令情報を送信し、携帯電話のパネルに文字列を表示させる態様であってもよい。また、ＮＦＣ通信の通信先の携帯電話に音を鳴らさせるための命令情報を送信し、携帯電話に音を鳴らさせるなどの態様であってもよい。
【０１２４】
ＮＦＣ通信２０１〜２０３の通信方式は、各種の方式であってよい。例えば、赤外線を利用した近距離データ通信（例：ＩｒＤＡ（Infrared Data Associationの略））や、ＲＦＩＤ（Radio Frequency IDentificationの略）や、ブルートゥース（登録商標）方式であってもよい。無線ＬＡＮ通信２１１〜２１３および２２０の通信方式は、無線ＬＡＮ方式に限らず、各種の方式であってよい。例えば、IEEE 802.11シリーズに準拠している方式であるWi-Fiや、ＷＡＮ（Wide Area Networkの略）や、インターネットなどの方式であってもよい。
【０１２５】
ＭＦＰ５１および５２では、携帯電話がログインした後に、ログアウト処理しないまま一定時間経過すると、強制的にログアウトする制御を行っても良い。強制的にログアウトする処理とは、ログインした後に、ログアウト処理しないまま一定時間経過した携帯電話についての判断情報と、ログインフラグと、を記憶部３３から削除することである。
【０１２６】
管理テーブル７７において、ログイン中フラグ３０３が「オン」になったまま一定時間経過した場合には、サーバ７１は、「オン」のログイン中フラグ３０３に対応する携帯電話の携帯電話ＩＤと、「オン」のログイン中フラグ３０３に対応するＭＦＰ−ＩＤを、管理者携帯電話１０に送信するとしてもよい。管理者携帯電話１０は、携帯電話ＩＤおよびＭＦＰ−ＩＤをサーバ７１から受信すると（Ｓ５４２）、ログアウトを代行する指示の入力を受け付けるとしてもよい（Ｓ５４４）。これによっても、管理者が管理者携帯電話１０をＭＦＰにかざすことで、ログアウトを代行することが可能となる。
【０１２７】
ＭＦＰ５１およびＭＦＰ５２は、無線送受信部３４を備えておらず、アクセスポイント６２との間で無線ＬＡＮ通信を実行することができない構成とされていてもよい。この場合、図６の無線ＬＡＮ通信の設定処理を省略することができる。
【０１２８】
ＭＦＰ５１およびＭＦＰ５２において、無線送受信部３４による無線ＬＡＮ通信が有効に設定されている場合においても、本明細書に開示されている技術を適用することができる。この場合、通常時は、アクセスポイント６２を介した無線ＬＡＮ通信によってサーバ７１と通信することで、ＭＦＰ５１およびＭＦＰ５２での画像データ処理を、サーバが記憶する判断情報によって制御している。そして、無線送受信部３４の故障またはアクセスポイント６２の故障などによって、ＭＦＰ５１およびＭＦＰ５２と、サーバ７１との間の無線ＬＡＮ通信ができなくなった異常発生時には、第１携帯電話８、または、第２携帯電話９に判断情報を中継させることで、ＭＦＰ５１およびＭＦＰ５２での画像データ処理を、サーバが記憶する判断情報によって制御することができる。これにより、通信系統を複数備えることができるため、無線ＬＡＮ通信に異常が発生した場合においても、ＭＦＰ５１およびＭＦＰ５２をサーバ７１で集中管理することができる。
【０１２９】
印刷システム１に用いられる装置は、ＭＦＰ５１および５２のような多機能機に限られない。例えば、プリンタ装置、スキャナ装置、コピー機、ＦＡＸ装置などの装置であってもよい。
【０１３０】
ＭＦＰ５１は、管理者携帯電話１０を識別するための情報を、管理者携帯電話ＩＤとして記憶部３３に記憶させるとしたが、この形態に限られない。第１携帯電話８または第２携帯電話９を識別するための情報など、任意の携帯電話を識別するための情報を、管理者携帯電話ＩＤとして記憶させるとしてもよい。例えば、第１携帯電話８を識別するための情報を、管理者携帯電話ＩＤとして記憶部３３に記憶させる場合には、第１携帯電話８が、一般ユーザ用の携帯電話の機能と管理者携帯電話の機能とを兼ねることになる。またＭＦＰ５１は、管理者携帯電話ＩＤを有する携帯電話からアクセスが行われている場合（Ｓ１１４：ＹＥＳ）には、アクセスを行っている携帯電話を管理者携帯電話として取り扱うか、一般ユーザ用の携帯電話として取り扱うかについての指示入力を受け付けるとしてもよい。管理者携帯電話として取り扱う指示がユーザから入力された場合には、Ｓ１１６へ進んで管理者携帯電話に対応する処理を実行し、一般ユーザ用の携帯電話として取り扱う指示がユーザから入力された場合には、Ｓ１２０へ進んで他の携帯電話に対応する処理を実行するとしてもよい。
【０１３１】
ＭＦＰ−ＩＤは、製造シリアル番号に限られない。ＭＦＰの個体が識別できる情報であれば何れの情報を用いることも可能であり、例えばＭＡＣアドレスを用いることもできる。
【０１３２】
印刷システム１に含まれる第１携帯電話８〜管理者携帯電話１０は一例である。４台以上の携帯電話が印刷システム１に含まれている場合にも、本願の技術が適用可能である。印刷システム１に含まれるＭＦＰ５１および５２は一例である。３台以上のＭＦＰが印刷システム１に含まれている場合にも、本願の技術が適用可能である。
【０１３３】
ＭＦＰ５１および５２は、画像データ処理装置の一例である。サーバ７１は、管理装置の一例である。ＮＦＣ通信２０１〜２０３は、第１の通信方式の一例である。無線ＬＡＮ通信２１１〜２１３は、第２の通信方式の一例である。第１携帯電話８および第２携帯電話９は、電子装置の一例である。ＣＰＵ３２は、コンピュータの一例である。ＮＦＣ送受信部３６は、通信手段の一例である。Ｓ３１６を実行するＣＰＵは画像データ処理手段の一例である。Ｓ１４２を実行するＣＰＵは判断情報記憶制御手段の一例である。Ｓ３１８を実行するＣＰＵは更新情報記憶制御手段の一例である。Ｓ２１０を実行するＣＰＵは更新情報送信制御手段の一例である。無線送受信部３４は、第２通信方式通信手段の一例である。ボタン入力部３８は、入力受付手段の一例である。Ｓ３３４を実行するＣＰＵは制限情報記憶制御手段の一例である。Ｓ１４４を実行するＣＰＵは報知制御手段の一例である。管理者携帯電話１０は、代理電子装置の一例である。第１携帯電話ＩＤ、第２携帯電話ＩＤ、管理者携帯電話ＩＤは、識別情報の一例である。
【符号の説明】
【０１３４】
１：印刷システム、８：第１携帯電話、９：第２携帯電話、１０：管理者携帯電話、３６：ＮＦＣ送受信部、５１および５２：ＭＦＰ、７１：サーバ、２０１〜２０３：ＮＦＣ通信、２１１〜２１３：無線ＬＡＮ通信
【図１】
2013214807.tif 000003
【図２】
2013214807.tif 000004
【図３】
2013214807.tif 000005
【図４】
2013214807.tif 000006
【図５】
2013214807.tif 000007
【図６】
2013214807.tif 000008
【図７】
2013214807.tif 000009
【図８】
2013214807.tif 000010
【図９】
2013214807.tif 000011
【図１０】
2013214807.tif 000012
【図１１】
2013214807.tif 000013
【図１２】
2013214807.tif 000014
【図１３】
2013214807.tif 000015
【図１４】
2013214807.tif 000016
【図１５】
2013214807.tif 000017
【図１６】
2013214807.tif 000018
【図１７】
2013214807.tif 000019